(57)【要約】【課題】設置場所が水平面に対して平行でない場合も含めてほとんどの場合に水準測量の際に標尺を水平面に対して垂直に立てることができる基準点鋲を提供する。【解決手段】基準点鋲１は、水準測量の際に標尺を水平面に対して垂直に立てるために床面、壁面等の所定の面に設置され、円形平板２と、円形平板２の面２ａの中央部に設けられた突起３と、を備える。突起３は、一端が円形平板２の面２ａの中央部に接合され、円形平板２の面２ａに垂直な方向に延在する柱部分３ａと、柱部分３ａの他端に形成された、標尺を置くための凸曲面を有する凸曲面部分３ｂと、を有する。【選択図】図１
2015055491.tif 000002
【特許請求の範囲】
【請求項１】
水準測量の際に標尺を水平面に対して垂直に立てるために所定の面に設置される基準点鋲であって、
平板と、
前記平板の一方の面の中央部に設けられた突起と、を備え、
前記突起は、
一端が前記平板の一方の面の中央部に接合され、前記平板の一方の面に垂直な方向に延在する柱部分と、
前記柱部分の他端に形成された、標尺を置くための凸曲面を有する凸曲面部分と、を有することを特徴とする基準点鋲。
【請求項２】
前記柱部分は円柱形状を有する、請求項１に記載の基準点鋲。
【請求項３】
前記凸曲面部分は半球形状を有する、請求項１又は２に記載の基準点鋲。
【請求項４】
前記凸曲面部分は球形状を有する、請求項１又は２に記載の基準点鋲。
【発明の詳細な説明】
【技術分野】
【０００１】
本発明は、水準測量の際に標尺を水平面に対して垂直に立てるために床面、壁面等の所定の面に設置される基準点鋲に関する。
【背景技術】
【０００２】
水平面に平行な床面等に水準測量標識を設置するために、水準測量の際に標尺を水平面に対して垂直に立てるための基準点鋲が用いられる（例えば、特許文献１）。このような基準点鋲としては、例えば、円形板と、円形板の一方の面の中央部に設けられた、標尺を置くための凸曲面を有する凸曲面部分と、を有する基準点鋲が市販されている。
【先行技術文献】
【特許文献】
【０００３】
【特許文献１】特開２００９−９２５１２号公報
【発明の概要】
【発明が解決しようとする課題】
【０００４】
トンネル等において、水準測量標識は、水平面に平行な床面の他に、水平面に対して所定の角度（例えば、４５°）だけ傾斜した床面、水平面に対して垂直な壁面等にも設置される。水準測量標識が水平面に平行でない面に設置される場合、標尺の形状によっては標尺を基準点鋲（例えば、標尺を置くための凸曲面部分）に置いたときに標尺の一端が基準点鋲に当接するために標尺を水平面に対して垂直に立てることができないことがある。
【０００５】
本発明の目的は、設置場所が水平面に対して平行でない場合も含めてほとんどの場合に水準測量の際に標尺を水平面に対して垂直に立てることができる基準点鋲を提供することである。
【課題を解決するための手段】
【０００６】
本発明による基準点鋲は、水準測量の際に標尺を水平面に対して垂直に立てるために所定の面に設置される基準点鋲であって、平板と、平板の一方の面の中央部に設けられた突起と、を備え、突起は、一端が平板の一方の面の中央部に接合され、平板の一方の面に垂直な方向に延在する柱部分と、柱部分の他端に形成された、標尺を置くための凸曲面を有する凸曲面部分と、を有することを特徴とする。
【０００７】
好適には、柱部分は円柱形状を有する。
【０００８】
好適には、凸曲面部分は半球形状を有する。
【０００９】
好適には、凸曲面部分は球形状を有する。
【００１０】
本発明によれば、平板の一方の面の中央部に設けられた突起が、平板の一方の面に垂直な方向に延在する柱部分を有するので、標尺を基準点鋲に置いたときに標尺の一端が基準点鋲に当接しなくすることができる。したがって、基準点鋲の設置場所が水平面に対して平行であるか否かに関係なく水準測量の際に標尺を水平面に対して垂直に立てることができる。
【図面の簡単な説明】
【００１１】
【図１】本発明による基準点鋲の第１の実施の形態の斜視図である。
【図２】図１に示す基準点鋲の上面図である。
【図３】図２に示す基準点鋲を矢印Ａ方向から見たＩ−Ｉ断面図である。
【図４】図１に示す基準点鋲の下面図である。
【図５】図１の基準点鋲を水平面に平行な床面に設置した状態を示す図である。
【図６】図１の基準点鋲を水平面に対して所定の角度だけ傾斜した床面に設置した状態を示す図である。
【図７】図１の基準点鋲を垂直面に平行な壁面に設置した状態を示す図である。
【図８】本発明による基準点鋲の第２の実施の形態の斜視図である。
【図９】図８に示す基準点鋲の上面図である。
【図１０】図９に示す基準点鋲を矢印Ａ’方向から見たＩＩ−ＩＩ断面図である。
【図１１】図８に示す基準点鋲の下面図である。
【図１２】図８基準点鋲を水平面に平行な床面に設置した状態を示す図である。
【図１３】図８の基準点鋲を水平面に対して所定の角度だけ傾斜した床面に設置した状態を示す図である。
【図１４】図８の基準点鋲を垂直面に平行な壁面に設置した状態を示す図である。
【図１５】図８の基準点鋲を垂直面に対して右回りを正として０°より小さい所定の角度だけ傾斜した壁面に設置した状態を示す図である。
【発明を実施するための形態】
【００１２】
本発明による基準点鋲の実施の形態を、図面を参照しながら詳細に説明する。
図１は、本発明による基準点鋲の第１の実施の形態の斜視図であり、図２は、図１に示す基準点鋲の上面図であり、図３は、図２に示す基準点鋲を矢印Ａ方向から見たＩ−Ｉ断面図であり、図４は、図１に示す基準点鋲の下面図である。
【００１３】
図１〜４に示す基準点鋲１は、水準測量の際に標尺を水平面に対して垂直に立てるために床面、壁面等の所定の面に設置され、円形平板２と、円形平板２の一方の面としての平坦な面２ａの中央部に設けられた突起３と、を備える。突起３は、一端が円形平板２の面２ａの中央部に接合され、円形平板２の面２ａに垂直な方向に延在する円柱形状の柱部分３ａと、柱部分３ａの他端に形成された、標尺を置くための凸曲面を有する凸曲面部分としての半球状の凸曲面部分３ｂと、を有する。本実施の形態では、円形平板２の他方の面としての平坦な面２ｂに、同心円状に形成した矩形の溝２ｂ−１，２ｂ−２，２ｃ−３を有する。
【００１４】
図５は、図１の基準点鋲を水平面に平行な床面に設置した状態を示す図である。図５において、円形平板２の面２ｂは、水平面に平行な床面１２に接着剤１１で固定され、水準測量の際に標尺１３を水平面に対して垂直に立てるために、標尺１３の底辺を凸曲面部分３ｂの表面上にある点Ａに接触させる。
【００１５】
図６は、図１の基準点鋲を水平面に対して所定の角度だけ傾斜した床面に設置した状態を示す図である。図６において、円形平板２の面２ｂは、水平面に対して所定の角度（例えば、４５°）だけ傾斜した床面１４に接着剤１１で固定され、水準測量の際に標尺１３を水平面に対して垂直に立てるために、標尺１３の底辺を凸曲面部分３ｂの表面上にある点Ｂに接触させる。
【００１６】
この場合、標尺１３の幅ｗが予めわかっているときには、標尺１３の底辺を凸曲面部分３ｂと柱部分３ａとの境界上にある点Ｃに接触させたときに標尺の一端１３ａが基準点鋲１に当接しなくなるようにするために、図６に示すラインｌ１を標尺１３の幅ｗの半分すなわちｗ／２より大きくするのが好ましい。柱部分３ａの長さをｈとし、床面１４が垂直面となす角度をθとすると、ラインｌ１の長さは、ｈ／ｃｏｓθとなる。したがって、ｈ／ｃｏｓθをｗ／２より大きくするのが好ましい。
【００１７】
図７は、図１の基準点鋲を垂直面に平行な壁面に設置した状態を示す図である。図７において、台座１６は、水平面に対して垂直な壁面１５に接着剤１７で固定され、円形平板２の面２ｂは、台座１６に接着剤１８で固定され、水準測量の際に標尺１３を水平面に対して垂直に立てるために、標尺１３の底辺を点Ｃに接触させる。この場合、台座１６により、床面１５（垂直面）と円形平板２の面２ｂとのなす角度がθである。
【００１８】
この場合も、標尺１３の幅ｗが予めわかっているときには、標尺１３を点Ｃに接触させたときに標尺の一端１３ａが基準点鋲１に当接しなくなるようにするために、図７に示すラインｌ２をｗ／２より大きくするのが好ましい。柱部分３ａの長さをｈとすると、ラインｌ２の長さは、ｈ／ｃｏｓθとなる。したがって、ｈ／ｃｏｓθをｗ／２より大きくするのが好ましい。
【００１９】
本実施の形態によれば、円形平板２の面２ａの中央部に設けられた突起３が、円形平板２の面２ａに垂直な方向に延在する柱部分３ａを有するので、標尺１３を基準点鋲１に置いたときに標尺１３の一端１３ａが基準点鋲１に当接しなくなるようにすることができる。したがって、基準点鋲１の設置場所が水平面に対して平行であるか否かに関係なく水準測量の際に標尺１３を水平面に対して垂直に立てることができる。
【００２０】
また、これらの溝２ｂ−１，２ｂ−２，２ｂ−３を円形平板２の面２ｂに形成することによって、溝２ｂ−１，２ｂ−２，２ｂ−３に接着剤１２が噛みこんで床面、壁面等に確実に接着されるので、円形平板２の面２ｂを接着剤１２で床面、壁面等に接着したときの面２ｂの剪断応力が増強される。
【００２１】
さらに、柱部分３ａの長さをｈとし、床面１４が垂直面となす角度をθとすると、ｈ／ｃｏｓθをｗ／２より大きくすることによって、標尺１３の形状がどのような形状であっても標尺１３を基準点鋲１に置いたときに標尺１３の一端１３ａが基準点鋲１に当接しなくなるようにすることができる。
【００２２】
図８は、本発明による基準点鋲の第２の実施の形態の斜視図であり、図９は、図８に示す基準点鋲の上面図であり、図１０は、図９に示す基準点鋲を矢印Ａ’方向から見たＩＩ−ＩＩ断面図であり、図１１は、図８に示す基準点鋲の下面図である。
【００２３】
図８〜１１に示す基準点鋲１’は、水準測量の際に標尺を水平面に対して垂直に立てるために床面、壁面等の所定の面に設置され、突起３’が球状の凸曲面部分３ｂ’を有する点を除いては図１〜４に示す基準点鋲１と同一構造を有する。
【００２４】
図１２は、図８の基準点鋲を水平面に平行な床面に設置した状態を示す図である。図１２において、円形平板２の面２ｂは、水平面に平行な床面１２に接着剤１１で固定され、水準測量の際に標尺１３を水平面に対して垂直に立てるために、標尺１３の底辺を凸曲面部分３ｂ’の表面上にある点Ａ’に接触させる。
【００２５】
図１３は、図８の基準点鋲を水平面に対して所定の角度だけ傾斜した床面に設置した状態を示す図である。図１３において、円形平板２の面２ｂは、水平面に対して所定の角度（例えば、４５°）だけ傾斜した床面１４に接着剤１１で固定され、水準測量の際に標尺１３を水平面に対して垂直に立てるために、標尺１３の底辺を凸曲面部分３ｂ’の表面上にある点Ｂ’に接触させる。
【００２６】
この場合、標尺１３の幅ｗが予めわかっているときには、標尺１３を点Ｂ’に接触させたときに標尺の一端１３ａが基準点鋲１’に当接しなくなるようにするために、図１３に示すラインｌ３をｗ／２より大きくするのが好ましい。面２ａの中心から凸曲面部分３ｂの中心までの距離をｈ’とし、凸曲面部分３ｂの半径をｒとし、床面１４が垂直面となす角度をθとすると、ラインｌ３の長さは、（ｒ・ｓｉｎθ＋ｈ’）／ｃｏｓθとなる。したがって、（ｒ・ｓｉｎθ＋ｈ’）／ｃｏｓθをｗ／２より大きくするのが好ましい。
【００２７】
図１４は、図８の基準点鋲を垂直面に平行な壁面に設置した状態を示す図である。図１４において、台座１６は、水平面に対して垂直な壁面１５に接着剤１７で固定され、円形平板２の面２ｂは、台座１６に接着剤１８で固定され、水準測量の際に標尺１３を水平面に対して垂直に立てるために、標尺１３の底辺を凸曲面部分３ｂ’の表面上にある点Ｃ’に接触させる。この場合、台座１６により、床面１５（垂直面）と円形平板２の面２ｂとのなす角度がθである。
【００２８】
この場合も、標尺１３の幅ｗが予めわかっているときには、標尺１３を点Ｃ’に接触させたときに標尺の一端１３ａが基準点鋲１’に当接しなくなるようにするために、図１４に示すラインｌ４をｗ／２より大きくするのが好ましい。面２ａの中心から凸曲面部分３ｂの中心までの距離をｈ’とし、凸曲面部分３ｂの半径をｒとすると、ラインｌ４の長さは、（ｒ・ｓｉｎθ＋ｈ’）／ｃｏｓθとなる。したがって、（ｒ・ｓｉｎθ＋ｈ’）／ｃｏｓθをｗ／２より大きくするのが好ましい。
【００２９】
図１５は、図８の基準点鋲を垂直面に対して右回りを正として０°より小さい所定の角度だけ傾斜した壁面に設置した状態を示す図である。図１５において、円形平板２の面２ｂは、垂直面に対して所定の角度（例えば、右回りを正として３３０°）だけ傾斜した壁面１９に接着剤１１で固定され、水準測量の際に標尺１３を水平面に対して垂直に立てるために、標尺１３の底辺を凸曲面部分３ｂ’の表面上にある点Ｄに接触させる。垂直面と円形平板２の面２ａとのなす角度をθとした場合、θ＝３３０°−３６０°＝−３０°となる。
【００３０】
この場合、標尺１３の幅ｗが予めわかっているときには、標尺１３を点Ｄに接触させたときに標尺の側面が基準点鋲１’に当接しなくなるようにするために、図１５に示すラインｌ５をｗ／２より大きくするとともに、接触点Ｄが凸曲面部分３ｂ’上に確保できるように柱部分３ａの径の最大値（円柱形状の場合は直径、四角柱形状の場合は対角線の長さ）を凸曲面部分３ｂ’の直径より小さくするのが好ましい。面２ａの中心から凸曲面部分３ｂの中心までの距離をｈ’とし、凸曲面部分３ｂの半径をｒとし、円形平板２の面２ａの垂直上方の端から標尺１３の底辺の延長線上に下した垂線に相当する図１５のラインｌ６の長さをｄとすると、ラインｌ５の長さは、（ｈ’／ｃｏｓθ−ｒ・ｔａｎθ−ｄ・ｔａｎθ）となる。したがって、（ｈ’／ｃｏｓθ−ｒ・ｔａｎθ−ｄ・ｔａｎθ）をｗ／２より大きくするのが好ましい。
【００３１】
本実施の形態によれば、円形平板２の面２ａの中央部に設けられた突起３’が柱部分３ａの他に球状の凸曲面部分３ｂ’を有するので、基準点鋲１’を垂直面に対して所定の角度だけ傾斜した壁面１９に設置した場合でも、標尺１３を基準点鋲１’に置いたときに標尺１３の一端１３ａが基準点鋲１’に当接しなくなるようにすることができる。また、基準点鋲１’を垂直面に対して所定の角度だけ傾斜した壁面１９に設置した場合でも、標尺１３を基準点鋲１’に置いたときに標尺１３が壁面１９に衝突しないので、水準測量の際の作業性が向上する。
【００３２】
本発明は、上記実施の形態に限定されるものではなく、幾多の変更及び変形が可能である。例えば、上記実施の形態において、突起が円柱形状の柱部分を有する場合について説明したが、円柱形状以外の形状（例えば、四角柱形状）の柱部分を有することもできる。また、凸曲面部分が半球形状又は球形状を有する場合について説明したが、凸曲面部分が略半球形状、略球形状等の他の凸曲面形状を有してもよい。さらに、上記実施例では円形平板を例に説明したが、必ずしも円形に限る必要はなく、例えば任意の多角形で構成してもよい。
【符号の説明】
【００３３】
１，１’    基準点鋲
２    円形平板
２ａ，２ｂ    面
２ｃ−１，２ｃ−２，２ｃ−３，２ｃ−４    溝
３，３’    突起
３ａ    柱部分
３ｂ，３ｂ’    凸曲面部分
１１，１７，１８    接着剤
１２，１４    床面
１３    標尺
１３ａ    一端
１３ｂ    他端
１５，１９    壁面
１６    台座
【図１】
2015055491.tif 000003
【図２】
2015055491.tif 000004
【図３】
2015055491.tif 000005
【図４】
2015055491.tif 000006
【図５】
2015055491.tif 000007
【図６】
2015055491.tif 000008
【図７】
2015055491.tif 000009
【図８】
2015055491.tif 000010
【図９】
2015055491.tif 000011
【図１０】
2015055491.tif 000012
【図１１】
2015055491.tif 000013
【図１２】
2015055491.tif 000014
【図１３】
2015055491.tif 000015
【図１４】
2015055491.tif 000016
【図１５】
2015055491.tif 000017